(57)【特許請求の範囲】
【請求項１】
複数系列の音響信号を入力し、複数のチャンネルで信号処理して出力するミキサ装置において、各ｃｈに入力するサンプル音を録音し、該録音したサンプル音を再生して前記ミキサ装置のパラメータ調整を行う楽音信号制御システムであって、
録音を指示する手段と、
再生を指示する手段と、
処理対象のチャンネルを選択するチャンネル選択手段と、
前記録音を指示する手段により録音が指示され、前記チャンネル選択手段によりチャンネルが選択されているとき、当該チャンネルに入力している音声信号を、当該チャンネルを特定するチャンネル情報と関連付けて記録する記録手段と、
前記再生を指示する手段により再生が指示され、前記チャンネル選択手段によりチャンネルが選択されているとき、当該チャンネルを特定するチャンネル情報と関連付けて記録されている音声信号を読み出して、当該チャンネルに戻す再生手段と、
を備えることを特徴とする楽音信号制御システム。
【請求項２】
請求項１に記載の楽音信号制御システムにおいて、
前記記録手段は、同じ１つのチャンネルに関して複数のテイクの音声信号を、該テイクを特定するテイク情報と関連付けて記録するものであることを特徴とする楽音信号制御システム。
【請求項３】
請求項２に記載の楽音信号制御システムにおいて、
再生するテイクを特定する手段をさらに備え、
前記再生手段は、再生時に、指定されたチャンネルに関して記録されている音声信号の中から、前記特定する手段により特定されたテイクの音声信号を再生する
ことを特徴とする楽音信号制御システム。
【請求項４】
複数系列の音響信号を入力し、複数のチャンネルで信号処理して出力するミキサ装置において、各ｃｈに入力するサンプル音を録音し、該録音したサンプル音を再生して前記ミキサ装置のパラメータ調整を行うための楽音信号制御プログラムであって、
前記ミキサ装置が備える処理手段に、
録音の指示を受け付けるステップと、
再生の指示を受け付けるステップと、
処理対象のチャンネルを選択する指示を受け付けるステップと、
前記録音の指示を受け付けるステップにより録音の指示が受け付けられており、前記処理対象のチャンネルを選択する指示を受け付けるステップにより処理対象のチャンネルが受け付けられているときは、当該チャンネルに入力している音声信号を、当該チャンネルを特定するチャンネル情報と関連付けて記録するように制御するステップと、
前記再生の指示を受け付けるステップにより再生の指示が受け付けられており、前記処理対象のチャンネルを選択する指示を受け付けるステップにより処理対象のチャンネルが受け付けられているときは、当該チャンネルを特定するチャンネル情報と関連付けて記録されている音声信号を読み出して、当該チャンネルに戻すように制御するステップと、
を実行させることを特徴とする楽音信号制御プログラム。
【発明の詳細な説明】
【技術分野】
【０００１】
この発明は、コンサートや演劇などを行なう会場などで音響設備の集中的な制御を行なうデジタルミキサにおいて、サウンドチェックを容易に行えるようにする楽音信号制御システムおよびプログラムに関する。
【背景技術】
【０００２】
従来より、コンサートなどを行う会場において音響設備を制御するデジタルミキサが知られている。このような会場の音響設備では、多数のマイクロフォンおよび多数のスピーカが使用され、効果音なども多種多様に使用される。デジタルミキサは、多数の入力をどのようにミキシングして、どのように効果を付与し、どの出力系統に出力するか、などを集中的に制御する。
【０００３】
このようなミキサにおいて、コンサートなどの本番前に、パラメータ調整のためのサウンドチェックを行うことがある。サウンドチェックとは、ミキサの各種のパラメータ値（COMPやEQなどのパラメータ値）を本番前に調整する作業である。通常は、リハーサルとして楽器を演奏してもらったりボーカルに歌ってもらい、その音をサンプル音としてミキサの各種のパラメータ値を調整する作業を行う。サウンドチェックは、温度、湿度、楽器やボーカルの状態など当日の環境に合せたパラメータ値の設定を行うため、本番前に必ず行いたい作業である。ただし、サウンドチェックは、マイクや楽器ごと（ｃｈごと）に、全ｃｈ分の調整を行うため、手間がかかる。また、本番前は、演奏者もスタッフも忙しく、すべてのパラメータ値を調整できるだけ十分な時間のリハーサルを行えないこともある。
【０００４】
上述のような事情があるため、一般には、リハーサルの際に演奏等してもらった音をレコーダへ録音しておき、リハーサル中に調整できなかったパラメータの値は、当該録音した音をサンプル音としてリハーサル後に調整することが行われていた。このようなサウンドチェックが行える装置として、例えば、下記特許文献１に記載の装置がある。これは、各ｃｈ、各ミックスバス、およびステレオバスの音をレコーダの任意のトラックへ録音し、録音した音を再生して任意のｃｈへ入力することができるものである。再生した音をどのｃｈへ入力するかは、ユーザが手動で設定する。この方式では、外付けのレコーダを使うため、構成に多様性はある。しかし、ミキサとレコーダの接続やトラックとｃｈの接続などに手間がかかり、接続を誤る可能性も否めない。
【０００５】
一方、下記特許文献２に記載の装置のように、各ｃｈごとに内部レコーダを設け、各ｃｈごとに録音と再生を行うことができるものもある。これによれば、ミキサとレコーダ、トラックとｃｈの接続作業が不要であり、接続間違えがない。しかし、ｃｈごとに所定のメモリ容量のメモリ手段を固定的に備えているため、あるｃｈでは記録時に容量不足となったり、別のｃｈでは記憶容量が少なくても良いのに過剰な容量のメモリ手段を備えることになり、メモリの使用効率が悪い。
【先行技術文献】
【特許文献】
【０００６】
【特許文献１】特開２００２ー５０１２３
【特許文献２】特開２００５ー２２９５８９
【発明の概要】
【発明が解決しようとする課題】
【０００７】
上述のサウンドチェックを行う場合、ユーザの要望として、トラックと録音ｃｈの接続設定、および、トラックと再生ｃｈの接続設定などを簡素にしてほしいという要望がある。そのため、サウンドチェックの際に、接続設定が迅速、正確、かつ簡易に行えることが望まれる。さらに、内部や外部にレコーダを設けて、サウンドチェック用のサンプル音を録音しておく方式を採る場合、録音用のメモリ手段については、限られた容量を必要なトラック（ｃｈ）にのみ分配して効率よく使いたいという要望がある。
【０００８】
本発明は、サウンドチェックを従来より迅速、正確、かつ簡易に行うことができ、サンプル音を記録するためのメモリ手段を効率的に使用できるようにした楽音信号制御システムおよびプログラムを提供することを目的とする。
【課題を解決するための手段】
【０００９】
上記目的を達成するため、請求項１に係る発明は、複数系列の音響信号を入力し、複数のチャンネルで信号処理して出力するミキサ装置において、各ｃｈに入力するサンプル音を録音し、該録音したサンプル音を再生して前記ミキサ装置のパラメータ調整を行う楽音信号制御システムであって、録音を指示する手段と、再生を指示する手段と、処理対象のチャンネルを選択するチャンネル選択手段と、前記録音を指示する手段により録音が指示され、前記チャンネル選択手段によりチャンネルが選択されているとき、当該チャンネルに入力している音声信号を、当該チャンネルを特定するチャンネル情報と関連付けて記録する記録手段と、前記再生を指示する手段により再生が指示され、前記チャンネル選択手段によりチャンネルが選択されているとき、当該チャンネルを特定するチャンネル情報と関連付けて記録されている音声信号を読み出して、当該チャンネルに戻す再生手段と、を備えることを特徴とする。
【００１０】
請求項２に係る発明は、請求項１に記載の楽音信号制御システムにおいて、前記記録手段は、同じ１つのチャンネルに関して複数のテイクの音声信号を、該テイクを特定するテイク情報と関連付けて記録するものであることを特徴とする。
【００１１】
請求項３に係る発明は、請求項２に記載の楽音信号制御システムにおいて、再生するテイクを特定する手段をさらに備え、前記再生手段は、再生時に、指定されたチャンネルに関して記録されている音声信号の中から、前記特定する手段により特定されたテイクの音声信号を再生することを特徴とする。
【００１２】
請求項４に係る発明は、複数系列の音響信号を入力し、複数のチャンネルで信号処理して出力するミキサ装置において、各ｃｈに入力するサンプル音を録音し、該録音したサンプル音を再生して前記ミキサ装置のパラメータ調整を行うための楽音信号制御プログラムであって、前記ミキサ装置が備える処理手段に、録音の指示を受け付けるステップと、再生の指示を受け付けるステップと、処理対象のチャンネルを選択する指示を受け付けるステップと、前記録音の指示を受け付けるステップにより録音の指示が受け付けられており、前記処理対象のチャンネルを選択する指示を受け付けるステップにより処理対象のチャンネルが受け付けられているときは、当該チャンネルに入力している音声信号を、当該チャンネルを特定するチャンネル情報と関連付けて記録するように制御するステップと、前記再生の指示を受け付けるステップにより再生の指示が受け付けられており、前記処理対象のチャンネルを選択する指示を受け付けるステップにより処理対象のチャンネルが受け付けられているときは、当該チャンネルを特定するチャンネル情報と関連付けて記録されている音声信号を読み出して、当該チャンネルに戻すように制御するステップと、を実行させることを特徴とする。
【発明の効果】
【００１３】
本発明によれば、サウンドチェックを従来より迅速、正確、かつ簡易に行うことができる。また、サンプル音を記録するためのメモリ手段を効率的に使用できる。
【図面の簡単な説明】
【００１４】
【図１】この発明を適用した一実施形態であるデジタルミキサのハードウェア構成図
【図２】デジタルミキサの音声信号処理のブロック図
【図３】音声信号の記録形式を示す図
【図４】デジタルミキサのパネル外観図
【図５】切替部の棋王詳細を示すブロック図
【図６】ｃｈ選択処理のフローチャート
【図７】録音設定および再生設定のフローチャート
【図８】変形例を示す図
【発明を実施するための形態】
【００１５】
以下、図面を用いてこの発明の実施の形態を説明する。
【００１６】
図１は、この発明をサウンドチェックシステムとして適用した一実施形態であるデジタルミキサのハードウェア構成を示す。中央処理装置（ＣＰＵ）１０１は、このミキサ全体の動作を制御する処理装置である。フラッシュメモリ１０２は、ＣＰＵ１０１が実行する各種のプログラムや各種のデータなどを格納した不揮発性メモリである。ランダムアクセスメモリ（ＲＡＭ）１０３は、ＣＰＵ１０１が実行するプログラムのロード領域やワーク領域に使用する揮発性メモリである。表示器１０４は、このミキサの操作パネル上に設けられた各種の情報を表示するためのタッチパネル式のディスプレイであり、タッチ操作を検出できるものである。電動フェーダ１０５は、操作パネル上に設けられたレベル設定用の操作子である。操作子１０６は、操作パネル上に設けられたユーザが操作するための各種の操作子（電動フェーダ以外のもの）である。波形入出力インターフェース（波形Ｉ／Ｏ）１０７は、外部機器との間で音声信号をやり取りするためのインターフェースである。信号処理部（ＤＳＰ）１０８は、ＣＰＵ１０１の指示に基づいて各種のマイクロプログラムを実行することにより、オーディオＩ／Ｏ１０７経由で入力した音声信号のミキシング処理、効果付与処理、及び音量レベル制御処理などを行い、処理後の音声信号を波形Ｉ／Ｏ１０７経由で出力する。その他Ｉ／Ｏ１０９は、その他の機器を接続するためのインターフェースである。バス１１０は、これら各部を接続するバスラインであり、コントロールバス、データバス、およびアドレスバスを総称したものである。
【００１７】
図１では不図示だが、本デジタルミキサには、その他Ｉ／Ｏ１０９と波形Ｉ／Ｏ１０７を介して外部レコーダが接続されている。本ミキサからその他Ｉ／Ｏ１０９を介して指示（コマンド）を与えることにより、外部レコーダの動作を制御することができる。例えば、録音の指示を与えると、外部レコーダは、波形Ｉ／Ｏ１０７を介してミキサから入力した音声信号を、指示された情報を付して、録音（記録）する。また、再生の指示を与えると、外部レコーダは、録音済みのデータの中から指示された音声信号を読み出して、波形Ｉ／Ｏ１０７を介してミキサへと出力する。なお、本明細書における「音声信号」は、人の声に限るものではなく、楽器音その他の任意の音響信号を含むものである。
【００１８】
図２は、図１のデジタルミキサにより実現する音声信号処理の機能構成を示すブロック図である。２２０は、図１では不図示であった外部レコーダを示す。
【００１９】
２０１はマイクなどで入力したアナログ音声信号をディジタル信号に変換して入力する入力部を示す。２０２はディジタル音声信号の入力部を示す。これらの入力部による音声信号の入力は、それぞれ複数本（その本数は装置構成に応じた上限がある）設けることができる。入力パッチ２０３は、上述した入力を入力チャンネル（ｃｈ）２０４へ接続する任意結線を行う。その結線の設定は、ユーザが所定の画面を見ながら任意に行うことができる。入力ｃｈ２０４は、シングルで６４ｃｈが設けられている。
【００２０】
各入力ｃｈ２０４は、それぞれ切替部２１１と信号処理部２１２を備える。切替部２１１は、ＣＰＵ１０１からの指示に応じて、当該入力ｃｈに入力した音声信号をレコーダ２２０や信号処理部２１２に渡したり、レコーダ２２０から出力される音声信号を信号処理部２１２に渡したりする接続関係に関する切替を行う。切替部２１１の切替機能については、図５で詳しく説明する。
【００２１】
信号処理部２１２は、ＣＰＵ１０１により設定されたパラメータの値に基づいて、入力信号に対するレベル制御や周波数特性の調整処理などの各種の信号処理を行う。各入力ｃｈ２０４の信号は、３２本のＭＩＸバス２０５へ選択的に出力することができ、その送出レベルをそれぞれ独立に設定することができる。ＭＩＸバス２０５の３２本の各バスは、入力ｃｈ２０４から入力した信号をミキシングする。ミキシングされた信号は、そのＭＩＸバスに対応する出力ｃｈ２０６（１〜３２ｃｈ）に出力される。ＭＩＸバス２０５と出力ｃｈ２０６とは１対１の対応で各ｃｈが対応づけられている。各出力ｃｈは、設定されたパラメータの値に基づいて出力側の各種の信号処理を行う。出力ｃｈ２０６の出力は、出力パッチ２０７に入力する。出力パッチ２０７は、出力ｃｈ２０６からアナログ出力部２０８またはディジタル出力部２０９への任意の結線を行う。その結線の設定は、ユーザが所定の画面を見ながら任意に行うことができる。
【００２２】
なお、入力部２０１，２０２および出力部２０８，２０９は図１の波形Ｉ／Ｏ１０７により実現する。その他の部分２０３〜２０７は、ＤＳＰ１０８が所定のマイクロプログラムを実行することにより実現する。該マイクロプログラムは、ＣＰＵ１０１がＤＳＰ１０８に送って設定する。ＤＳＰ１０８が該マイクロプログラムを実行するときに使用する係数データも、ＣＰＵ１０１がＤＳＰ１０８に送って設定する。
【００２３】
本ミキサでは、迅速、正確、かつ簡単に、各ｃｈについてサウンドチェック用のサンプル音の録音と再生を行うことができる。その操作方法は図３で後述するが、ある１つの入力ｃｈ２０４に対して録音が指示された場合、当該入力ｃｈ２０４に入力された直後の音声信号（入力ｃｈにおける各種の信号処理による処理前の音声信号）を、切替部２１１からレコーダ２２０に出力して録音する。ある１つの入力ｃｈに対して再生が指示された場合、レコーダ２２０において当該入力ｃｈについて録音された音声信号を再生し、レコーダ２２０から録音時の録音ポイント（音声信号を取り出した場所）と同じ入力ｃｈ２０４の切替部２１１のポイントへ、当該再生した音声信号を入力する。
【００２４】
図３は、レコーダ２２０で録音するサウンドチェック用のサンプル音の音声信号の記録形式を示す。レコーダ２２０では、任意の入力ｃｈ２０４の切替部２１１から送出される音声信号を、当該ｃｈのｃｈ番号とテイク番号を特定できる形式で記録する。ｃｈ番号は、録音元のｃｈ（どこのｃｈの音声信号を録音したか）を表す情報であり、必ずしも番号である必要はない。テイク番号は、同じｃｈの何テイク目（当該録音元ｃｈにおける何番目の録音かを表す）のサンプル音であるかを示す番号であり、テイクが識別できれば必ずしも番号である必要はない。１つのｃｈ番号と１つのテイク番号とそのｃｈおよびテイクで入力した音声信号とをひとまとまりにして記録するものとし、そのひとまとまりを本実施形態ではトラックと呼ぶ。１つのトラックが１回の録音分（再生分）に相当する。１つのトラック、すなわち１回の録音分（再生分）の音声信号の時間長は数10秒とする。サウンドチェック用のサンプル音としては数10秒程度で充分だからである。一方、そのようなサンプル音は、１つのｃｈに対して複数のテイクを録音し、テイクを選んで再生させたいという現場での要望があるので、１つのｃｈに対して複数のテイクを記録できるようにしている。テイク番号は、ｃｈ内で固有である。すなわち、同じｃｈ番号を持つ複数のトラック間では必ずテイク番号が異なる。テイク番号は、１つのトラックに１つのみ記録するものとする。１つのトラックに複数のテイク番号が記録されることはないが、テイク番号の領域を省略してテイク情報を割愛したり、テイク番号の領域に０やnullを格納してもよい。テイク情報を割愛したり、テイク番号の領域に０やnullを格納した場合は、当該トラックの音声信号は、当該ｃｈ番号のｃｈに対して録音した唯一の音声信号であることを示すものとなる。
【００２５】
なお、レコーダ２２０においてサウンドチェック用のサンプル音を録音するために利用する容量は任意であり、固定でも可変でもどちらでもよい。１つのトラックの録音容量も任意であり、固定でも可変でもどちらでもよい。図３のような形式で記録する場合、トラック総数も任意であり、該総数は固定でも可変でもどちらでもよい。１ｃｈ当たりで録音できるテイク数も任意である。全ｃｈで１ｃｈ当たりのテイク数を同じ数に固定してもよいし、各ｃｈ毎に別々のテイクの数で固定してもよい。また、テイクの数を全く固定しないこととしてもよい。
【００２６】
図４は、本実施形態のデジタルミキサの操作パネルの外観（一部）を示す。４０１は、各種の情報を表示するディスプレイ（図１の１０４）である。ディスプレイ４０１の下側にｃｈストリップ部４０４（図１の１０５，１０６）が設けられている。ｃｈストリップ部４０４は８本のｃｈストリップ４０４−１〜４０４−８からなる。１本のｃｈストリップ、例えば４０４−１は、ロータリエンコーダや電動フェーダや各種のスイッチなどの操作子を備え、特に選択（ＳＥＬ）スイッチ４１１を備えている。４１２は８個のレイヤスイッチである。６４個の入力ｃｈは、第１〜８ｃｈが第１レイヤ、第９〜１６ｃｈが第２レイヤ、…というように、８つのレイヤに分けられており、レイヤスイッチ４１２で何れかのレイヤを選択すると、そのレイヤの８つの入力ｃｈが順にｃｈストリップ４０４−１〜４０４−８に割り当てられる。これにより、ｃｈストリップ４０４−１〜４０４−８のうち何れかのｃｈストリップの操作子を操作することで、当該ｃｈストリップに割り当てられた入力ｃｈのパラメータを調整することができる。ｃｈストリップ部４０６，４０７も、ｃｈストリップ部４０４と同様の８本のｃｈストリップからなる。ｃｈストリップ部４０６，４０７は、予め固定的にｃｈが割り当てられているｃｈストリップ部である。
【００２７】
ｃｈストリップ部４０４の上側のディスプレイ４０１内の領域４０２には、ｃｈストリップ部４０４の各ｃｈストリップ４０４−１〜４０４−８の上方に当たる位置に、それぞれのｃｈストリップに割り当てられているｃｈの複数パラメータの表示領域（ｃｈパラメータ表示領域と呼ぶ）が配置されて、表示される。ｃｈパラメータ表示領域は、ｃｈストリップ部４０４に設けられたｃｈストリップと同じ数（ここでは８個）だけ表示される。ｃｈパラメータ表示領域は、割り当てられたｃｈにおける各種パラメータの値を表示するパラメータの表示機能を実現する。
【００２８】
ディスプレイ４０１の左側の表示領域にはセレクテッドｃｈ画面４０３が表示される。セレクテッドｃｈ画面４０３は、選択された１つのｃｈ（選択ｃｈ）に関する種々のパラメータを表示する領域である。セレクテッドｃｈ画面４０３に表示された選択ｃｈの種々のパラメータは、セレクテッドｃｈ操作子部４０５に配置されている操作子によって調整することができる。選択ｃｈは、ｃｈストリップのＳＥＬスイッチ４１１をオンすることによって指定する。ＳＥＬスイッチ４１１がオンされたｃｈストリップに割り当てられているｃｈが選択ｃｈとなる。本実施形態のミキサでは、選択ｃｈは排他的であり常に１つのみ存在するものとする。従って、あるｃｈストリップのＳＥＬスイッチがオンされていて当該ｃｈストリップに割り当てられているｃｈが選択ｃｈになっている状態で、別のｃｈストリップのＳＥＬスイッチがオンされときは、当該新たにオンされたＳＥＬスイッチのｃｈストリップに割り当てられているｃｈが新たに選択ｃｈとなり、前に選択ｃｈになっていたｃｈは選択ｃｈではなくなる。これに伴い、セレクテッドｃｈ画面４０３も新たな選択ｃｈを対象とする画面に切り替わり、セレクテッドｃｈ操作子部４０５の操作対象も新たな選択ｃｈに切り替わる。
【００２９】
４１３はサウンドチェックのためのサンプル音の録音を指示するための録音スイッチである。録音スイッチ４１３は、押下するごとに録音の開始と停止をトグルで切り替えるスイッチである。内部的には（ｃｈ毎ではなく）ミキサ全体で録音フラグが１つ設けられており、該録音フラグがオンのとき録音中、オフのとき録音停止中の状態としている。ミキサの電源がオンされた直後の初期状態では、録音フラグはオフである。録音フラグがオフの状態で録音スイッチ４１３を押下すると、録音フラグがオンとされ、その時点の選択ｃｈに入力している音声信号のレコーダ２２０による録音が開始される。次に録音スイッチ４１３を押下すると、録音フラグがオフされ、録音は停止する。録音フラグがオンの状態で、ＳＥＬスイッチにより選択ｃｈを切り替えたときは、録音フラグはオンのままで、その切り替え前に選択ｃｈになっていたｃｈの録音が停止され、新たに選択ｃｈとなったｃｈに入力している音声信号の録音が開始される。
【００３０】
４１４はサウンドチェックのためのサンプル音の再生を指示するための再生スイッチである。再生スイッチ４１４は、押下するごとに再生の開始と停止をトグルで切り替えるスイッチである。内部的には（ｃｈ毎ではなく）ミキサ全体で再生フラグが１つ設けられており、該再生フラグがオンのとき再生中、オフのとき再生停止中の状態としている。ミキサの電源がオンされた直後の初期状態では、再生フラグはオフである。上述の録音機能を利用して、各ｃｈのサンプル音を録音した後、再生フラグがオフの状態で再生スイッチ４１４を押下すると、再生フラグがオンとされ、その時点の選択ｃｈで録音済みの音声信号の再生が開始される。次に再生スイッチ４１４を押下すると、再生フラグがオフされ、再生は停止する。再生フラグがオンの状態で、ＳＥＬスイッチにより選択ｃｈを切り替えたときは、再生フラグはオンのままで、その切り替え前に選択ｃｈになっていたｃｈの再生が停止され、新たに選択ｃｈとなったｃｈで録音済みの音声信号の再生が開始される。
【００３１】
図５は、切替部２１１の機能詳細を示すブロック図である。各ｃｈの切替部２１１は、ＣＰＵ１０１からの指示に応じて、「通常状態」、「録音状態」、または「再生状態」の何れかの状態を採る。
【００３２】
「通常状態」は、入力パッチ２０３から当該入力ｃｈに入力した音声信号をそのまま処理部２１２に渡す接続状態である。レコーダ２２０との音声信号のやり取りは無い。５０１〜５０４に示すケース、すなわち、（１）録音および再生が共に停止中（録音フラグがオフかつ再生フラグがオフ）の場合の選択されていない各ｃｈの切替部２１１、（２）録音中（録音フラグがオンかつ再生フラグがオフ）の場合の選択されていない各ｃｈの切替部２１１、（３）再生中（録音フラグがオフかつ再生フラグがオン）の場合の選択されていない各ｃｈの切替部２１１、（４）録音および再生が共に停止中（録音フラグがオフかつ再生フラグがオフ）の場合の選択されているｃｈの切替部２１１は、何れも通常状態に設定される。
【００３３】
「録音状態」は、入力パッチ２０３から当該入力ｃｈに入力した音声信号を処理部２１２およびレコーダ２２０の両方に渡す接続状態である。５０５に示すケース、すなわち、録音中（録音フラグがオンかつ再生フラグがオフ）の場合の選択されているｃｈの切替部２１１は録音状態を採る。
【００３４】
「再生状態」は、入力パッチ２０３から当該入力ｃｈに入力した音声信号を（処理部２１２とレコーダ２２０のどちらにも渡すことなく）捨て去り、レコーダ２２０から再生出力される音声信号を処理部２１２に渡す接続状態である。５０６に示すケース、すなわち、再生中（録音フラグがオフかつ再生フラグがオン）の場合の選択されているｃｈの切替部２１１は再生状態を採る。
【００３５】
なお、５０３に示した再生中の選択されていないｃｈは通常状態としたが、再生中ということは、選択されているｃｈについてサンプル音を再生して当該ｃｈのパラメータの調整を行っているということであるから、選択されていないｃｈについては入力パッチ２０３からの音声信号を処理部２１２に渡さないように設定しても良い。
【００３６】
図６は、ＣＰＵ１０１が実行するｃｈ選択処理のフローチャートを示す。選択ｃｈを変更する指示を受け付けたとき（新たな選択ｃｈの選択指示を受け付けたとき）、本実施形態では、操作パネル上の何れかのｃｈストリップのＳＥＬスイッチ４１１が押下されたとき、当該ｃｈストリップに割り当てられているｃｈに対して図６の処理が実行される。
【００３７】
ステップ６０１で、新たに選択されたｃｈを選択ｃｈとして設定する。選択ｃｈについては、図４のＳＥＬスイッチ４１１で説明した。以前に選択ｃｈであったｃｈの切替部２１１は通常状態に戻す。録音中または再生中であった場合には、それらを停止する（録音ｃｈおよび再生ｃｈから解除する）。また、以前の選択ｃｈに代えて新たな選択ｃｈをセレクテッドｃｈ部へ割り当てる。セレクテッドｃｈ部４０３，４０５の操作対象および表示内容は、新たな選択ｃｈに合わせて更新する。
【００３８】
次に、ステップ６０２で録音中か否かを判定する。これは、録音フラグを確認し、オンなら録音中、オフなら録音停止中と判定する処理である。録音停止中なら、ステップ６０６へ進む。録音中なら、録音ｃｈが新たに選択されたときの処理として、ステップ６０３〜６０５を行う。まずステップ６０３では、新たな選択ｃｈを録音ｃｈとして設定する。なお、録音中のｃｈを録音ｃｈと呼ぶ。本実施形態では、録音中の場合は常に選択ｃｈと録音ｃｈは同じｃｈとなる。録音ｃｈの切替部２１１は、図５で説明した録音状態へ変更する。ステップ６０４では、選択テイクを設定する。１つのｃｈの録音対象のトラックは一時に１つのみである。本処理では、１つのテイクを選択テイク（新たな選択テイク）として特定する。具体的には、当該録音ｃｈのｃｈ番号で既に録音されている図３の全録音データを参照し、新たな選択テイクを設定するものとする。すなわち、当該録音ｃｈのｃｈ番号で既に録音されている録音データの既存のテイク番号以外のテイク番号を新たなテイク番号として決める。具体的には、１から順番にテイク番号を付けていくものとする。
【００３９】
次にステップ６０５で、録音を開始する。これはＣＰＵ１０１からレコーダ２２０に対して、音声信号を記録するためのメモリ領域を確保し、ステップ６０３で設定した録音ｃｈのｃｈ情報とステップ６０４で設定したテイク情報を与えて音声信号の記録を開始することを指示する処理である。そして、レコーダ２２０は、前記記録を開始することの指示を受け付けたときに、新たなトラックを確保し、ＣＰＵ１０１から指示された録音ｃｈのｃｈ番号とテイク番号とを当該トラックへ書き込み、当該録音ｃｈの音（音声信号）をそのトラックへ録音し始める。なお、録音ｃｈの録音は、録音停止の指示があるまで（録音のオフ操作または録音ｃｈか選択テイクの変更操作があるまで）録音を続けるものとする。また、最新の数10秒のみが録音データとして残るように、上書きしながら録音するものとする。
【００４０】
次に、ステップ６０６で再生中か否かを判定する。これは、再生フラグを確認し、オンなら再生中、オフなら再生停止中と判定する処理である。再生停止中なら、処理を終了する。再生中なら、再生ｃｈが新たに選択されたときの処理として、ステップ６０７〜６０９を行う。まずステップ６０７では、新たな選択ｃｈを再生ｃｈとして設定する。なお、再生中のｃｈを再生ｃｈと呼ぶ。本実施形態では、再生中の場合は常に選択ｃｈと再生ｃｈは同じｃｈとなる。再生ｃｈの切替部２１１は、図５で説明した再生状態へ変更する。ステップ６０８では、選択テイクを設定する。１つのｃｈの再生対象のトラックは一時に１つのみである。本処理では、１つのテイクを選択テイク（新たな選択テイク）として特定する。具体的には、当該再生ｃｈのｃｈ番号で既に録音されている図３の全録音データを参照し、その中で最新のテイク番号のデータを再生する対象として選択するものとする。
【００４１】
次にステップ６０９で、再生を開始する。これは、ＣＰＵ１０１からレコーダ２２０に対して、ステップ６０７で設定した再生ｃｈとステップ６０８で決定した選択テイクの組み合わせで再生を指示する処理である。そして、レコーダ２２０は、前記再生を開始することの指示を受け付けたときに、指示された再生ｃｈと選択テイクの組み合わせに該当する情報を持つトラックを抽出し、見つかれば、そのトラックに録音されている音声信号の再生を始める。再生した音声信号は、当該再生ｃｈの切替部２１１に出力される。ＣＰＵ１０１の指示により、当該再生ｃｈの切替部２１１は図５で説明した再生状態に設定されており、上記再生した音声信号が当該再生ｃｈの処理部２１２に渡されて出力される。なお、レコーダ２２０において、前記指示された再生ｃｈと選択テイクの組み合わせに該当するトラックが見つからなければ、再生することなく、処理を終了するものとする。再生ｃｈの再生は、再生停止の指示があるまで（再生のオフ操作または再生ｃｈか選択テイクの変更操作があるまで）再生を続ける。また、再生対象のトラックに記録されている数10秒の音声信号を繰り返し再生するものとする。
【００４２】
図７（ａ）は、録音設定の処理のフローチャートを示す。本処理は、録音の状態を切り替える（録音フラグを切り替える）指示を受け付けたとき（録音開始あるいは録音停止の指示を受け付けたとき）に起動される。本実施形態では、録音スイッチ４１３が押下されたときに起動される。
【００４３】
ステップ７０１では、録音の状態を切り替える。これは、録音フラグを、オンならオフへ、オフならオンへと、反転する処理である。次にステップ７０２で、録音フラグのオン／オフを判定する。録音フラグがオフに切り替えられたときは、ステップ７０７で、録音を停止する。これは、録音ｃｈを解消し（選択ｃｈは解消しない）、録音中のトラックの録音を停止するようにレコーダ２２０へ指示し、レコーダ２２０がその指示を受け付けて録音中のトラックの録音を停止することにより、録音動作を停止する処理である。全ｃｈの切替部２１１は通常状態に設定する。
【００４４】
ステップ７０２で録音フラグがオンに切り替えられたなら、ステップ７０３で、再生を停止して、全ｃｈを通常状態とする。本実施形態では、録音中は再生禁止とするため、再生中であれば該再生動作を停止し、再生フラグをオフに書き替えている。また、全ｃｈの切替部２１１は通常状態に設定する。ステップ７０４では、録音ｃｈを設定する。本実施形態では、選択ｃｈを録音ｃｈとするため、現在の選択ｃｈを抽出し、抽出したｃｈを録音ｃｈへ設定する。録音ｃｈの切替部２１１は、図５で説明した録音状態へ変更する。ステップ７０５で選択テイクを設定し、ステップ７０６で録音を開始する。ステップ７０５，７０６は、図６のステップ６０４，６０５と同じ処理である。
【００４５】
図７（ｂ）は、再生設定の処理のフローチャートを示す。本処理は、再生の状態を切り替える（再生フラグを切り替える）指示を受け付けたとき（再生開始あるいは再生停止の指示を受け付けたとき）に起動される。本実施形態では、再生スイッチ４１４が操作されたときに起動される。
【００４６】
ステップ７１１では、再生の状態を切り替える。これは、再生フラグを、オンならオフへ、オフならオンへと、反転する処理である。次にステップ７１２で、再生フラグのオン／オフを判定する。再生フラグがオフに切り替えられたときは、ステップ７１７で、再生を停止する。これは、再生ｃｈを解消し（選択ｃｈは解消しない）、再生中のトラックの再生を停止するようにレコーダ２２０へ指示し、レコーダ２２０がその指示を受け付けて再生中のトラックの再生を停止することにより、再生動作を停止する処理である。全ｃｈの切替部２１１は通常状態に設定する。
【００４７】
ステップ７１２で再生フラグがオンに切り替えられたなら、ステップ７１３で、録音を停止して、全ｃｈを通常状態とする。本実施形態では、再生中は録音禁止とするため、録音中であれば該録音動作を停止し、録音フラグをオフに書き替えている。また、全ｃｈの切替部２１１は通常状態に設定する。ステップ７１４では、再生ｃｈを設定する。本実施形態では、選択ｃｈを再生ｃｈとするため、現在の選択ｃｈを抽出し、抽出したｃｈを再生ｃｈへ設定する。再生ｃｈの切替部２１１は、図５で説明した再生状態へ変更する。ステップ７１５で選択テイクを設定し、ステップ７１６で再生を開始する。ステップ７１５，７１６は、図６のステップ６０８，６０９と同じ処理である。
【００４８】
上記実施形態では、ＳＥＬスイッチにより録音／再生するｃｈを選択し録音スイッチ４１３と再生スイッチ４１４により録音／再生の指示を与えているが、ｃｈ単位で録音／再生が指示できればどのような構成を採ってもよい。例えば、図８（ａ）に示すように各ｃｈ毎に録音を指示するｒｅｃスイッチ８０１と再生を指示するｐｌａｙスイッチ８０２を設けても良い。この場合、上述の録音スイッチ４１３と再生スイッチ４１４は排除し、何れかのｒｅｃスイッチ８０１が操作されたとき、当該操作されたｒｅｃスイッチ８０１に対応するｃｈを録音ｃｈに設定して録音を開始（あるいは停止）し、何れかのｐｌａｙスイッチ８０２が操作されたとき、当該操作されたｐｌａｙスイッチ８０２に対応するｃｈを再生ｃｈに設定して再生を開始（あるいは停止）する構成とすればよい。また、この場合、これらのスイッチ８０１，８０２とＳＥＬスイッチとは別に設けるものとする。すなわち、ＳＥＬスイッチによる選択ｃｈの選択と、ｒｅｃスイッチ８０１またはｐｌａｙスイッチ８０２による録音ｃｈまたは再生ｃｈの設定とは、独立に行えるようにしてもよい。
【００４９】
また、同時に設定できる録音ｃｈの数はいくつでもよい。例えば、上記実施形態では、録音フラグがオンされている状態で選択ｃｈを切り替えると、以前の録音ｃｈが解除され、新たに選択されたｃｈが録音ｃｈに設定されるが、それに代えて、以前の録音ｃｈも維持し、新たに選択されたｃｈを録音ｃｈとして追加設定するようにしても良い。再生ｃｈについても同様である。
【００５０】
さらに、録音ｃｈと再生ｃｈとが同時に存在し、録音動作と再生動作を並列に実行できるようにしてもよい。すなわち、録音ｃｈが設定されたとき、再生の状態および再生ｃｈを解除せず、また、再生ｃｈが設定されたとき、録音の状態および録音ｃｈを解除しないということである。
【００５１】
上記実施形態の図６のステップ６０４、図６のステップ６０８、図７（ａ）のステップ７０５、図７（ｂ）のステップ７１５では、録音は新たなテイク番号を付けて録音し、再生は最新のテイク番号のデータを再生しているが、いずれか１つのテイクを選択テイクとして特定できる方法（選択テイクを１つ設定できる方法）であれば上記実施形態の方法に限定されることはない。例えば、録音／再生を指示する際にテイク番号をユーザに選択させるようにしてもよい。図８（ｂ）は、ユーザにテイク番号を選択させる際の画面例を示す。ｃｈ番号が特定されて録音または再生の指示が為されたとき、図８（ｂ）のような画面を表示し、当該ｃｈのどのテイク番号の録音／再生をするかをユーザに選択させる。この選択は、例えばＳＥＬスイッチを押す回数でテイクを選択する構成としてもよいし、録音スイッチや再生スイッチを押す回数でテイクを選択する構成でも良い。例えば、操作されたスイッチが前回操作されたスイッチと同じ場合、テイクの選択とみなし、押された回数に応じたテイクを選択テイクとして設定するようにしてもよい。
【００５２】
上記実施形態において、レコーダは外部レコーダとしたが、構成の形態は問わず、デジタルミキサの内部に設置されたレコーダでも、外部に設置されたレコーダでも、いずれでもよい。また、レコーダは、ｃｈごとに固定されていても、固定されていなくても、いずれでもよい。
【００５３】
上記実施形態では、図３で説明したように、レコーダにおいてｃｈ番号とテイク番号と音声信号とをひとまとまりにして記録しているが、この「ひとまとまり」とはｃｈ番号とテイク番号と音声信号とが関連付けられていればどのような態様でも良い。例えば、レコーダでは音声信号のみを記録し、ｃｈ番号とテイク番号はトラックとの関連付けが分かるようにミキサ側で保持するようにしてもよい。また、レコーダにおいて音声信号をファイル形式で記録する場合は、ファイル名にｃｈ番号とテイク番号を含めることによりそれらの関連が分かるようにしても良い。
【００５４】
上記実施形態では、本発明をサウンドチェックシステムに適用したデジタルミキサについて説明したが、本発明はサウンドチェックを行うどのような場面でも適用可能である。
【符号の説明】
【００５５】
１０１…中央処理装置（ＣＰＵ）、１０２…フラッシュメモリ、１０３…ＲＡＭ、１０４…表示器、１０５…電動フェーダ、１０６…操作子、１０７…波形Ｉ／Ｏ、１０８…信号処理部、１０９…その他Ｉ／Ｏ、１１０…バスライン。
【図１】
0005999408.tif 000002
【図２】
0005999408.tif 000003
【図３】
0005999408.tif 000004
【図４】
0005999408.tif 000005
【図５】
0005999408.tif 000006
【図６】
0005999408.tif 000007
【図７】
0005999408.tif 000008
【図８】
0005999408.tif 000009